(57)【要約】【課題】  既設の装置本体が設置された設置面に対して傾斜した床面上で装着しても、装着部を装置本体に対して適性な姿勢で装着することができ、収容したペーパーを装置本体に円滑に供給することができるマガジンを提供する。【解決手段】  長尺なペーパーのロール体を回転可能に収容する収容部と、ペーパーに対して画像形成処理を施す既設の装置本体に対して装脱可能に構成され、且つ収容部に対して内部を連通させて連結された装着部とを備え、装着部は、ロール体から引き出したペーパーを装置本体に向けて送り出し可能に構成され、前記収容部の下面に自走用の走行輪が設けられてなるマガジンにおいて、前記装着部は、所定の一点を傾動中心にして傾動可能に連結手段を介して収容部に連結されてなることを特徴とする。【選択図】図２
2006011105.tif 000002
【特許請求の範囲】
【請求項１】
長尺なペーパーのロール体を回転可能に収容する収容部と、ペーパーに対して画像形成処理を施す既設の装置本体に対して装脱可能に構成され、且つ収容部に対して内部を連通させて連結された装着部とを備え、装着部は、ロール体から引き出したペーパーを装置本体に向けて送り出し可能に構成され、前記収容部の下面に自走用の走行輪が設けられてなるマガジンにおいて、前記装着部が所定の一点を傾動中心にして傾動可能に連結手段を介して収容部に連結されてなることを特徴とするマガジン。
【請求項２】
前記装着部は、該装着部を適正な姿勢にすべく装置本体の設けられた案内手段に案内される被案内部を備えてなる請求項１記載のマガジン。
【請求項３】
前記連結手段は、球面軸受である請求項１又は２記載のマガジン。
【請求項４】
前記連結手段は、傾動中心が収容部の下面を基準にして所定の高さに位置し、且つ感光材料の引き出し中心に対応した位置となるように設けられてなる請求項１乃至３の何れかに記載のマガジン。
【発明の詳細な説明】
【技術分野】
【０００１】
本発明は、ペーパーに対して画像処理を施す装置本体に装着され、収容した長尺なペーパーを前記装置本体に供給するマガジンに関する。
【背景技術】
【０００２】
一般的に、ペーパーに対して露光処理や印刷処理等の画像形成処理を施す業務用の装置（例えば、写真処理分野においては業務用の露光処理装置）は、図８（イ）に示す如く、ペーパーＰに画像形成処理を施す装置本体５０と、効率的な大量処理等の観点から、大量のペーパーＰを収容可能に構成され、且つ該ペーパーＰを装置本体５０（画像を形成する領域）に連続的に供給可能に構成されたマガジン５１とを備えている。
【０００３】
前記装置本体５０は、マガジン５１を連結する連結部５００を備えている。該連結部５００は、マガジン５１の一部を収容する空間（以下、装填空間という。）５０１を形成しており、所定位置には連結されたマガジン５１から供給されるぺーパーＰを受け入れる受入口５０２が形成されている。また、図８（ロ）に示す如く、マガジン５１を連結した際にマガジン５１におけるペーパーＰの供給位置（供給口）５１０と前記受入口５０２とが一致するように、該連結部５００には、装填中のマガジン５１を所定位置に案内する案内体５０３を備えている。該案内体５０３は、例えば、ローラで構成されており、装填空間５０１の内側に向けて出退可能に構成されると共に、装填空間５０１内部に向けて付勢され、マガジン５１の装填方向と直交する方向からマガジン５１に当接するようになっている。上記構成の装置本体５０は、一般的な機械や装置と同様に、所定の水平レベルに設定された設置面上に据え付けられる。
【０００４】
前記マガジン５１は、長尺なペーパーＰのロール体Ｒ（大径のロール体）を軸心周りで回転可能に収容する収容部５１１と、装置本体５０に装着可能で、且つ装置本体５０に収容部５１１内のペーパーＰを供給可能に構成され、収容部５１１に連結された装着部５１２とを備えている。該マガジン５１は、ペーパーＰを収容した状態で重量物となるため、この種のマガジン５１には、装置本体５０への装着作業の簡便化を図るべく、収容部５１１に走行輪５１３が取り付けられ、装置本体５０に対する装脱時において自走させるようになっている。
【０００５】
このようにマガジン５１を構成することで、装置本体５０に装着部５１２を連結するに際し、装着部５１２が装置本体５０の連結部５００（案内体５０３）に案内され、連結完了時において、当該装着部５１２の供給口５１０が装置本体５０の受入口５０２と連通してペーパーＰを装置本体５０に供給できるようになっている。
【発明の開示】
【発明が解決しようとする課題】
【０００６】
ところで、上述の如く、装置本体５０は所定の水平レベルに設定された設置面上に設置されているが、その周辺の床面は、装置本体５０の据え付けられた床面と同じ水平レベルでない場合がある。即ち、装置本体５０にマガジン５１を装着させるべく該マガジン５１を走行させる床面が、装置本体５０の設置面に対して傾斜している場合がある。
【０００７】
例えば、マガジン５１を装置本体５０に連結すると、図９（イ）及び図９（ロ）に示す如く、前記装着部５１２が装置本体５０に対して傾いた状態になってしまう。そのため、供給口５１０と受入口５０２とが適正な状態で連通せず、画像の形成に適した状態で装置本体５０にペーパーＰを送り込むことができないといった問題があった。即ち、装置本体５０の連結部５００に装着部５１２を案内する案内体５０３を設けているが、上述の如く、収容部５１１内のロール体Ｒが重量物であるため、マガジン５１を走行させる床面が傾斜していると、案内体５０３の付勢力ではマガジン５１を適正な姿勢にすることができず、その結果、マガジン５１が連結された状態で受入口５０２と供給口５１０とがずれてしまい、装置本体５０に対してペーパーＰを円滑に供給することができなくなるといった問題があった。
【０００８】
また、マガジン５１（装着部５１２）を強制的に適正な姿勢に修正して保持するための保持手段が装置本体５０（連結部５００内）に設けられる場合もあるが、保持手段がマガジン５１を強制的に適正な姿勢（装置本体５０が据え付けられた設置面に沿った姿勢）にしようとすると、上述の如くロール体Ｒを収容したマガジン５１が重量物であるため、保持手段や、マガジン５１、装置本体５０のフレーム等に大きな力が作用してしまい、これらを破損させてしまう虞がある。特に、大径のロール体Ｒは、非常に重いため、これを収容したマガジン５１を保持手段で保持させると、マガジン５１や保持手段等を破損させてしまうことが極めて顕著である。
【０００９】
そこで、本発明は、斯かる実情に鑑み、既設の装置本体が設置された設置面に対して傾斜した床面上で装着しても、装着部を装置本体に対して適性な姿勢で装着することができ、収容したペーパーを装置本体に円滑に供給することができるマガジンを提供することを課題とする。
【課題を解決するための手段】
【００１０】
本発明に係るマガジンは、長尺なペーパーのロール体を回転可能に収容する収容部と、ペーパーに対して画像形成処理を施す既設の装置本体に対して装脱可能に構成され、且つ収容部に対して内部を連通させて連結された装着部とを備え、装着部は、ロール体から引き出したペーパーを装置本体に向けて送り出し可能に構成され、前記収容部の下面に自走用の走行輪が設けられてなるマガジンにおいて、前記装着部が所定の一点を傾動中心にして傾動可能に連結手段を介して収容部に連結されてなることを特徴とする。
【００１１】
上記構成のマガジンによれば、前記装着部が所定の一点を傾動中心にして傾動可能に連結手段を介して収容部に連結されているので、収容部が傾斜した床面に沿って傾いた場合であっても、装着部が傾動することで、装置本体に対する傾きを吸収することができる。その結果、装着部を装置本体に対して適性な姿勢で装着（連結）することができ、ペーパーを装置本体に円滑に供給することができる。
【００１２】
この場合、前記装着部は、該装着部を適正な姿勢にすべく装置本体の設けられた案内手段に案内される被案内部を備えてもよい。このようにすれば、装着部を装置本体に装着するに際し、装置本体の案内手段に装着部の被案内部が案内され、この案内に従うように装着部が所定の傾動中心周りで傾動して適正な姿勢となる。
【００１３】
また、前記連結手段は、球面軸受であることが好ましい。このようにすれば、球面の中心が傾動中心となり、装着部を円滑に傾動させることができる。
【００１４】
さらに、前記連結手段は、傾動中心が収容部の下面を基準にして所定の高さに位置し、且つ感光材料の引き出し中心に対応した位置となるように設けられることが好ましい。このようにすれば、ペーパーの引き出し中心（搬送経路の中心）を基準して装着部が上下左右に傾斜することになるので、装着部の傾動によってペーパーの引き出し中心がずれることがなく、ペーパーの搬送安定性を確保することができる。
【００１５】
以上のように、本発明に係るマガジンによれば、既設の装置本体が設置された設置面に対して傾斜した床面上で装着しても、装着部を装置本体に対して適正な姿勢で装着することができ、収容したペーパーを装置本体に円滑に供給することができるという優れた効果を奏し得る。
【発明を実施するための最良の形態】
【００１６】
以下、本発明の一実施形態に係るマガジンについて、添付図面を参酌しつつ説明する。
【００１７】
本実施形態に係るマガジンは、ペーパーである感光材料に露光処理を施す露光処理装置の一構成であるので、以下において、露光処理装置全体を通じて説明することとする。
【００１８】
かかる露光処理装置は、供給されてくる長尺な感光材料に連続的に露光処理を施し、該露光処理済みの感光材料をロール状に巻き取って回収する、いわゆるＲＯＬＬｔｏＲＯＬＬシステムを採用している。該露光処理装置は、図１及び図２に示す如く、長尺な感光材料Ｐに露光処理を連続的に行う装置本体１と、感光材料Ｐを収容可能に構成されると共に、該感光材料Ｐを装置本体１に供給可能に構成された供給マガジン２（マガジン）と、露光処理後の感光材料Ｐをロール状に巻き取って回収する回収マガジン３とで構成されている。
【００１９】
前記装置本体１は、感光材料Ｐを搬送する搬送機構１０と、搬送機構１０で搬送される感光材料Ｐに露光処理を施す露光ユニット１１と、感光材料Ｐを所定の長さで切断する切断装置１２とを備えており、これらは、筐体１３内に内装されている。また、該装置本体１は、前記供給マガジン２が連結される供給マガジン連結部１４と、回収マガジン３が連結される回収マガジン連結部１５とが設けられている。
【００２０】
前記搬送機構１０は、前記供給マガジン連結部１４と回収マガジン連結部１５との間で感光材料Ｐを搬送する搬送経路を形成しており、本実施形態においては、感光材料Ｐを圧着搬送する複数の搬送ローラ対１６，１６…が、感光材料Ｐを搬送する方向に所定の間隔を有して配設されることによって構成されている。即ち、該搬送機構１０は、供給マガジン連結部１４に連結された供給マガジン２から供給されてくる感光材料Ｐを複数の搬送ローラ対１６，１６…で圧着搬送し、回収マガジン連結部１５に連結された回収マガジン３に送り込むように構成されている。
【００２１】
本実施形態に係る露光ユニット１１には、レーザー露光装置（レーザービーム方式の露光装置）が採用されている。なお、露光ユニット１１には、レーザービーム方式の他、ＰＬＺＴシャッター方式や、液晶シャッター方式、蛍光ビーム方式等の種々の露光装置を採用することができ、装置の仕様、露光処理の精度等に応じて適宜選択して採用することができる。
【００２２】
前記切断装置１２は、互いに接離する一対のカッター１２ａ，１２ｂを備えており、本実施形態においては、供給マガジン連結部１４の下流側であって、感光材料Ｐに対して露光処理を行う露光領域の上流側に設けられており、供給マガジン２から連続的に供給されてくる長尺な感光材料Ｐを切断できるようになっている。このように切断装置１２を設けることで、感光材料Ｐの搬送等のトラブルが発生した場合や、回収マガジン３での感光材料Ｐの回収状況、露光処理のオーダーの状況等に応じて、長尺な感光材料Ｐを適宜切断できるようになっている。
【００２３】
前記供給マガジン連結部１４は、筐体１３の一方の側面側に供給マガジン２を連結可能に形成されている。該供給マガジン連結部１４について具体的に説明すると、該供給マガジン連結部１４は、供給マガジン２の一部（後述する装着部２０）を装填する開口（以下、供給側装填口という。）１４０が筐体１３の一方の側面に形成されており、装着部２０が装填（収容）される空間（以下、供給側装填空間という。）１４１が供給側装填口１４０から筐体１３の内部側に奥まって形成されている。
【００２４】
該供給側装填空間１４１は、互いに対向して起立した一対の壁部（以下、供給側側壁部という。）１４２，１４２と、該供給側側壁部１４２，１４２の一端（奥側の端縁）同士を接続して起立した壁部（以下、供給側奥壁部という。）１４３と、供給側側壁部１４２，１４２及び供給側奥壁部１４３の上端に両端及び一側端が接続された壁部（以下、供給側上壁部という。）１４４とにより画定されおり、前記供給側装填口１４０は、供給側側壁部１４２，１４２の他端及び供給側上壁部１４４の他側端によって画定されている。
【００２５】
前記供給側上壁部１４４には、供給マガジン２の後述する供給口２００から送り込まれる感光材料Ｐを受け入れるスリット状の受入口１４５が形成された供給側遮光体１４６が設けられている。該供給側遮光体１４６は、受入口１４５が搬送機構１０を構成する最上流の搬送ローラ対１６及び適正な姿勢で装填された供給マガジン２の供給口２００に対応するように配置されている。該供給側遮光体１４６は、前記装着部２０の上面の前記供給口２００を含んだ領域に形成された装着部嵌合凹部２０１に嵌合可能に形状設定されると共に、バネやダンパー等の付勢手段（図示しない）を介して下方（供給側装填空間１４１）に向けて付勢されており、供給側装填空間１４１内に突出して設けられている。即ち、供給側遮光体１４６は、供給側上壁部１４４と直交する方向（上下方向）に変位可能な状態で供給側装填空間１４１に向けて付勢されている。これにより、該供給マガジン連結部１４に装着部２０が装着された状態（供給マガジン２が連結された状態）で、供給口２００から供給される感光材料Ｐが露光処理前に感光することなく、装置本体１（受入口１４５）に供給できるようにようになっている。
【００２６】
また、図２及び図３（イ）に示す如く、供給マガジン連結部１４には、供給マガジン２を連結するに際して、該供給マガジン２（装着部２０）を所定位置に案内する案内手段１７が設けられている。即ち、供給マガジン連結部１４には、装着時に装着部２０を案内して、該装着部２０を適正な姿勢に修正するための案内手段１７が設けられている。
【００２７】
案内手段１７について具体的に説明すると、該案内手段１７は、供給マガジン２（装着部２０）の上面（被案内部としての上方被案内面２０４ａ）を案内して、供給マガジン２（装着部２０）の装填方向における位置決めをする（装着部２０の前後方向の姿勢を修正する）供給側第一案内体１７０と、供給マガジン２（装着部２０）の両側面（被案内部としての側方被案内面２０４ｂ，２０４ｂ）を案内して、供給マガジン２（装着部２０）の装填方向に対して直交する方向における位置決めをする（装着部２０の横方向の姿勢を修正する）供給側第二案内体１７１とで構成されている。
【００２８】
本実施形態において、前記供給側第一案内体１７０は、前記供給側上壁部１４４に設けられ、供給側第二案内体１７１は、供給側側壁部１４２，１４２に設けられており、供給側第一案内体１７０及び供給側第二案内体１７１の何れも、供給マガジン２の装填方向に回転可能なローラにより構成されている（以下、供給側第一案内体１７０を構成するローラを第一ローラといい、供給側第二案内体１７１を構成するローラを第二ローラという）。
【００２９】
第一ローラ１７０は、受入口１４５の両側に隣接して設けられている。具体的には、本実施形態において、第一ローラ１７０は、前記供給側遮光体１４６の両側に、装置本体１に対する該供給マガジン２の装填方向に所定間隔を有して設けられている。各第一ローラ１７０は、バネ等の付勢手段（図示しない）によって下方に向けて付勢されると共に上下方向に変位するようになっている。なお、本実施形態において、第一ローラ１７０を供給側遮光体１４６の両側に設け、供給側遮光体１４６とは別個独立して変位可能に構成しているが、例えば、第一ローラ１７０を供給側遮光体１４６に取り付け、該供給側遮光体１４６と共に上下方向に変位可能に構成してもよい。
【００３０】
各第二ローラ１７１は、一対の供給側側壁部１４２，１４２のそれぞれの上部及び下部に設けられており、装着部２０の上部及び下部に形成された側方被案内面２０４ｂ，２０４ｂを案内するようになっている。本実施形態おいて、一方の供給側側壁部１４２に設けられた第二ローラ１７１は、バネ等の付勢手段１７２を介して供給側装填空間１４１に向けて付勢されたブロック体１７３に取り付けられており、装着部２０の装填方向と直交する方向に変位可能になっている。その一方で、他方の供給側側壁部１４２に設けられた第二ローラ１７１は、変位不能に設けられたブロック体１７３に取り付けられている。これにより、装着部２０を一方の供給側側壁部１４２側から他方の供給側側壁部１４２側に付勢できるようになっている。即ち、他方の供給側側壁部１４２に設けられた第二ローラ１７１を基準にして装着部２０を案内できるようになっている。
【００３１】
また、該供給マガジン連結部１４は、装着部２０を所定位置で保持するための保持手段１４７を備えている。該保持手段１４７は、装着部２０を所定位置でロックするロック機構１４７ａと、該ロック機構１４７ａを動作させる操作手段１４７ｂとで構成されている。
【００３２】
本実施形態に係るロック機構１４７ａは、供給マガジン連結部１４（一対の供給側側壁部１４２，１４２）の上部及び下部の四カ所に設けられており、供給マガジン２（装着部２０）の上部及び下部を保持するようになっている。該ロック機構１４７ａは、装着部２０の後述する被係合凸部２０６（図４参照）に対して係合可能に構成された係合体１４８を、供給側装填空間１４１に対して出退可能に構成されており、供給側装填空間１４１に向けて突出した状態で前記被係合凸部２０６と係合し、待避した状態で係合が解除されるようになっている。
【００３３】
本実施形態に係る係合体１４８には、カムフォロアが採用されている。該カムフォロア１４８は、供給マガジン２の装着方向に延びる軸心周りで回転するアーム１４９の先端に設けられており、供給マガジン２の装填方向と直交する方向に延びる軸心周りで回転できるようになっている。
【００３４】
前記アーム１４９は、操作手段１４７ｂとしてのリンク機構の一構成であり、筐体１３の一方の側面に設けられたハンドルＨ（図２参照）を操作することにより、リンク機構が作動して供給マガジン２の装填方向に延びる軸心周りで正逆回転し、前記カムフォロア１４８が供給側装填空間１４１に対して出退するようになっている。
これにより、該カムフォロア１４８は、アーム１４９が正逆回転することで、供給側装填空間１４１に突出して前記被係合凸部２０６と係合する係合状態と、供給側装填空間１４１から待避して被係合凸部２０６との係合状態が解除される非係合状態とに切り替わるようになっている。
【００３５】
このように、アーム１４９を回転させてカムフォロア１４８を被係合凸部２０６に係合させるようにする（係合状態にする）ことで、アーム１４９を回転させるにつれ、カムフォロア１４８が被係合凸部２０６に係合しつつ、被係合凸部２０６（装着部２０）を供給側装填空間１４１の奥側（供給側奥壁部１４３側）に引き寄せ、装着部２０を供給口２００と受入口１４５とが一致する適正な位置で保持して、装置本体１（供給マガジン連結部１４）に連結（装着）されるようになっている。
【００３６】
また、該供給マガジン連結部１４は、供給マガジン２から装置本体１に感光材料Ｐを供給すべく、供給マガジン２（装着部２０）に設けられた後述する送出ローラ２０７ａ，２０７ｂ（図５参照）を駆動するための供給側駆動伝達機構を備えている。該供給側駆動伝達機構は、ギア、チェーン等の機械要素の組み合わせにより構成されている。該供給側駆動伝達機構は、装着部２０に設けられた入力用ギアＧ１（前記送出ローラ２０７ａ，２０７ｂに作動的に連結されたギア：図２参照）を噛合させる出力用ギアＧ２を備えており、該出力用ギアＧ２は供給側装填空間１４１内に配置されている。
【００３７】
図２に戻り、前記回収マガジン連結部１５は、筐体１３の他方の側面側に回収マガジン３を連結可能に形成されている。該回収マガジン連結部１５について具体的に説明すると、該回収マガジン連結部１５は、回収マガジン３の一部を装填する開口（以下、回収側装填口１５０という。）が筐体１３の他方の側面に形成されており、回収マガジン３の一部が収容される空間（以下、回収側装填空間１５１という。）が回収側装填口１５０から筐体１３の内部側に奥まって形成されている。
【００３８】
該回収側装填空間１５１は、互いに対向して起立した一対の壁部（以下、回収側側壁部という。）１５２と、該回収側側壁部１５２の一端（奥側の端縁）同士を接続して起立した壁部（以下、回収側奥壁部という。）１５３と、回収側側壁部１５２及び回収側奥壁部１５３の上端に両端及び一側端が接続された壁部（以下、回収側上壁部という。）１５４と、回収側側壁部１５２及び回収側奥壁部１５３の下端に両端及び一側端が接続された壁部（以下、回収側下壁部１５５という。）とにより画定されおり、前記回収側装填口１５０は、回収側側壁部１５２の他端、回収側上壁部１５４の他側端、及び回収側下壁部１５５の他側端によって画定されている。
【００３９】
前記回収側奥壁部１５３には、回収マガジン３の後述する回収口３１に露光処理済みの感光材料Ｐを送り出すスリット状の送出口１５６が形成された回収側遮光体１５７が設けられている。該回収側遮光体１５７は、送出口１５６が搬送機構１０を構成する最下流の搬送ローラ対１６、及び適正な姿勢で装填された回収マガジン３の回収口３１に対応するように配置されている。該回収側遮光体１５７は、回収マガジン３の前面（走行方向において先頭となる面）を構成する起立した壁板の前記回収口３１を含む領域に形成された回収側嵌合凹部３０に嵌合可能に形状設定されると共に、バネやダンパー等の付勢手段を介して回収側装填空間１５１に向けて付勢されており、回収側装填空間１５１内に突出して設けられている。
【００４０】
即ち、回収側遮光体１５７は、回収側奥壁部１５３と直交する方向（回収マガジン３の装填方向）に変位可能な状態で回収側装填空間１５１に向けて付勢されている。これにより、該回収マガジン連結部１５に回収マガジン３が装着された状態で、回収マガジン３及び回収側遮光体１５７が密接状態になり、且つ送出口１５６及び回収口３１が連通し、送出口１５６から送り出される感光材料Ｐを回収マガジン３の回収口３１に確実に送り出せるようになっている。
【００４１】
該回収マガジン連結部１５は、回収マガジン３の側面を案内する回収側第一案内体１５８（図３（ロ）参照）と、回収マガジン３の下面を案内する回収側第二案内体１５９と、回収側第一案内体１５８及び回収側第二案内体１５９によって案内されて装着された回収マガジン３を保持する保持手段１６０とを備えている。
【００４２】
前記回収側第一案内体１５８は、図３（ロ）に示す如く、一対の回収側側壁部１５２のそれぞれに設けられており、本実施形態においては、回収側第一案内体１５８は、回収マガジン３の装填方向に回転可能なローラにより構成されている（以下、回収側案内ローラという。）。
【００４３】
該回収側案内ローラ１５８は、一対の回収側側壁部１５２のそれぞれの上部及び下部に設けられており、回収マガジン３の前端部における上部及び下部の両側面を案内するようになっている。本実施形態において、一方の回収側側壁部１５２に設けられた回収側案内ローラ１５８は、バネ等の付勢手段１７２を介して回収側装填空間１５１に向けて付勢されたブロック体１６２に取り付けられており、回収マガジン３の装填方向と直交する方向に変位可能になっている。その一方で、他方の回収側側壁部１５２に設けられた回収側案内ローラ１５８は、変位不能に設けられたブロック体１６２に取り付けられている。これにより、回収マガジン３を一方の回収側側壁部１５２側から他方の回収側側壁部１５２側に付勢できるようになっている。即ち、他方の回収側側壁部１５２に設けられた回収側案内ローラ１５８を基準にして回収マガジン３を案内できるようになっている。
【００４４】
図２に戻り、前記回収側第二案内体１５９は、回収マガジン３を装填する際に、該回収マガジン３の下面（後述する被ガイド部３５）が摺接する案内面１６３を備えており、前記回収側下壁部１５５上に設けられている。前記案内面１６３は、回収側装填空間１５１の奥側に向けて昇り勾配になった傾斜面で構成されており、回収マガジン３を装着する際に、回収マガジン３が回収側下壁部１５５上に乗り上げるように構成されている。本実施形態に係る保持手段１６０は、前記回収側側壁部１５２間に跨って配設された棒体で構成されており、前記回収側第二案内体１５９（案内面１６３）に対して回収側装填空間１５１の奥側に設けられている。これにより、回収マガジン３が回収側下壁部１５５に乗り上げた状態で、前記案内面１６３に隣接して設けられた棒体１６０（保持手段）に、回収マガジン３の下面に形成された後述する係合用溝３２が嵌り込むようになっており、これによって回収マガジン３を送出口１５６と回収口３１とが一致する適正な位置で保持して、装置本体１（回収マガジン連結部１５）に連結（装着）されるようになっている。
【００４５】
また、該回収マガジン連結部１５は、露光処理済みの感光材料Ｐを巻き取るべく、回収マガジン３内に設けられた巻取ユニット３３を駆動するための回収側駆動伝達機構（図示しない）を備えている。該回収側駆動伝達機構は、ギア、チェーン等の機械要素の組み合わせにより構成されており、回収マガジン３に設けられた入力用ギアＧ３（前記巻取ユニット３３に作動的に連結された入力用ギア）に噛合させる出力用ギアＧ４を備えている。該出力用ギアＧ４は、回収側奥壁部１５３に形成された開口を介して一部（歯）を回収側装填空間１５１内に臨ませるように設けられている。
【００４６】
本実施形態に係る供給マガジン２は、大径のロール体Ｒを収容可能に構成されており、該ロール体Ｒを収容した状態で重量物になって作業者の労働負担が大きくなるといった理由から、作業者の手押しによって走行させる自走式のマガジンが採用されている。該供給マガジン２は、図４及び図５に示す如く、長尺なペーパーＰのロール体Ｒを回転可能に収容する収容部２１と、上記構成の装置本体１に対して装脱可能に構成された装着部２０とを備えている。
【００４７】
収容部２１は、ロール体Ｒを収容するケース２１０と、ケース２１０ロール体Ｒを軸支させるためのホルダーユニット２１１とで構成されている。
【００４８】
前記ケース２１０は、平面視略矩形状に形成されたフレーム２１２と、該フレーム２１２上に設けられ、収容するロール体Ｒの周囲を包囲するように形成された収容部本体２１３と、該収容部本体２１３の上部開口を閉じる蓋体２１４とで構成されている。
【００４９】
前記フレーム２１２は、下面の四隅部分に走行輪２１５が取り付けられており、これによって当該供給マガジン２が自走（手押しによって走行）できるようになっている。収容部本体２１３は、フレーム２１２の各端縁から上方に延びる壁板によって平面視略矩形をなす枠状に形成されている。該収容部本体２１３を構成する壁板のうちの一つ（以下、この壁板を収容部前壁板２１３ａという）には、収容したロール体Ｒから巻きの解かれた感光材料Ｐを挿通させるための開口（以下、挿通用開口という。）２１６が形成されている。本実施形態において、該挿通用開口２１６は、収容部前壁板２１３ａの上半分の領域内に略矩形状に形成されている。
【００５０】
該挿通用開口２１６の下端近傍には、フリーローラ２１７が設けられている。該フリーローラ２１７は、前記収容部前壁板２１３ａに一端が接続されて互いに対向する一対の壁板（以下、収容部側壁板２１３ｂ，２１３ｂという）に両端が軸支されており、ロール体Ｒから巻きが解かれた感光材料Ｐを巻き掛けることにより、該感光材料Ｐを挿通用開口２１６に確実に導けるようになっている。
【００５１】
前記収容部側壁板２１３ｂ，２１３ｂは、収容部前壁板２１３ａ側から該収容部前壁板２１３ａと対向する壁板（以下、収容部後壁板２１３ｃという。）側に向けて低くなるように高さ設定されており、各壁板により形成された端開口端縁が、収容部後壁板２１３ｃ側に先下りに傾斜している。即ち、収容部後壁板２１３ｃを収容部前壁板２１３ａよりも低くすることで、大径で且つ重量物であるロール体Ｒを容易に収容部本体２１３内に収容できるようになっている。
【００５２】
また、該収容部本体２１３には、前記ホルダーユニット２１１を着脱自在に取り付けるためのホルダー取付体２１３ｄが設けられている。該ホルダー取付体２１３ｄは、ホルダーユニット２１１の後述する被掛止部２１１ｂを回転不能に掛止できるように構成されており、収容部側壁板２１３ｂ，２１３ｂの内面に固着されている。
【００５３】
前記蓋体２１４は、収容部本体２１３に枢着され、開閉可能に構成されており、閉状態において収容部本体２１３と共に箱体をなるように構成されている。即ち、蓋体２１４は、収容部本体２１３内に配置したロール体Ｒを覆って内部を暗室状態にできるように構成されている。
【００５４】
前記装着部２０は、箱状に形成されており、起立した壁板のうちの一つ（以下、装着部後壁板という）２０２ａに前記挿通用開口２１６に対応する開口２０３が形成されている。また、該装着部２０の上面には、収容部２１のロール体Ｒから巻きが解かれた感光材料Ｐを挿通して外部に引き出す供給口２００がスリット状に形成されると共に、該供給口２００を含んだ領域に前記供給側遮光体１４６が嵌合する前記装着部嵌合凹部２０１が形成されている。また、該装着部２０は、上面が供給側第一案内体（第一ローラ）１７０に案内される被案内部としての被案内面（以下、上方被案内面という。）２０４ａを構成すると共に、上部及び下部の両側端面が供給側第二案内体（第二ローラ）１７１に案内される被案内部としての被案内面（以下、側方被案内面という。）２０４ｂになっている。
【００５５】
前記上方被案内面２０４ａの所定位置には、装着部２０が適正な位置（装置本体１に対する連結で適正な位置）に到達したときに各第一ローラ１７０が嵌り込む凹部２０５ａ，２０５ａ…が第一ローラ１７０の配置に対応して形成されている。また、前記側方被案内面２０４ｂの所定位置には、装着部２０が適正な位置（装置本体１に対する連結で適正な位置）に到達したときに第二ローラ１７１が嵌り込む凹部２０５ｂが形成されている。
【００５６】
前記装着部後壁板２０２ａ及びこれに対向する壁板２０２ｂ（以下、装着部前壁板２０２ｂという。）の両端を接続して互いに対向する一対の壁板（以下、装着部側壁板２０２ｃ，２０２ｃという）の上部、及び下部には、ロック機構１４７ａの係合体（カムフォロア）１４８が係合する被係合凸部２０６が形成されている。
【００５７】
また、該装着部２０は、供給口２００から感光材料Ｐを供給すべく（送り出すべく）供給口２００近傍に設けられ、感光材料Ｐを圧着して回転する一対の送出ローラ２０７ａ，２０７ｂと、該一対の送出ローラ２０７ａ，２０７ｂとロール体Ｒとの間に存在する感光材料Ｐの緩みを防止すべく該感光材料Ｐにテンションを与えるテンション付加手段２０８とを備えている。
【００５８】
一対の送出ローラ２０７ａ，２０７ｂは、前記装着部側壁板２０２ｃ，２０２ｃに両端が軸支されている。一方の送出ローラ２０７ａの軸体２１１ａの一端部が外部に突出しており、該一端部には前記供給マガジン連結部１４に設けられた前記出力用ギアＧ２と係合する入力用ギアＧ１が固着されている。これにより、当該供給マガジン２を供給マガジン連結部１４に連結させた際、供給マガジン連結部１４からの駆動を受けて供給口２００、受入口１４５を介して装置本体１（搬送機構１０）に感光材料Ｐを送り込めるようになっている。即ち、該供給マガジン２は、装置本体１に装着するに際して供給口２００から外部に感光材料Ｐが出ていなくても、該供給マガジン２を装置本体１に連結することで、装置本体１側からの駆動を受けて感光材料Ｐを装置本体１の前記受入口１４５に送り込むことができるようになっている。
【００５９】
前記テンション付加手段２０８は、感光材料Ｐを巻き掛ける二本のローラ２０８ａ，２０８ｂと、二本のローラ２０８ａ，２０８ｂの端部同士を連結するアーム２０８ｃとを備えている。該二本のローラ２０８ａ，２０８ｂのうち、一方のローラ２０８ａは、両端部が装着部２０の装着部側壁板２０２ｃ，２０２ｃに枢着されており、他方のローラ２０８ｂが一方のローラ２０８ａの軸心周りで公転すると共に、自己の軸心周りで自転できるようになっている。
【００６０】
また、前記アーム２０８ｃは、バネ等の付勢手段（図示しない）によって回転方向に付勢されており、この付勢力によって他方のローラ２０８ｂを感光材料Ｐに当接させて感光材料Ｐにテンションを付加できるようになっている。これにより、一対の送出ローラ２０７ａ，２０７ｂの回転によって感光材料Ｐが引っ張られ、ロール体Ｒが必要以上に回転しても、感光材料Ｐが送出ローラ対２０７ａ，２０７ｂに到達するまでに緩んでしまうのを防止することができ、供給マガジン２内での感光材料Ｐの搬送トラブルの発生を防止している。
【００６１】
上記構成の装着部２０は、所定の一点を傾動中心にして傾動可能に連結手段２３を介して収容部２１に連結されている。前記連結手段２３は、傾動中心が収容部２１の下面（走行輪２１５が取り付けられたフレーム２１２の下面）から所定の高さに位置し、且つぺーパーＰに対して引き出し中心（ペーパーＰの幅方向の中心）に対応した位置となるように設けられている。また、装着部２０と収容部２１との間には、所定の間隙が形成されており、装着部２０が前記傾動中心周りで傾動するに際して、収容部２１に干渉するのを防止できるようになっている。
【００６２】
本実施形態において、前記連結手段２３には、球面軸受が採用されている。球面軸受には、種々のタイプのものがあるが、本実施形態においては球面滑り軸受が採用されている。該球面軸受（球面滑り軸受）２３について具体的に説明すると、該球面滑り軸受２３は、図６に示す如く、一方の被連結物（本実施形態においては収容部２１：収容部前壁板２１３ａ）に対して取り付けられる第一連結体２３０と、他方の被連結物（本実施形態においては装着部２０：装着部後壁板２０２ａ）に取り付けられる第二連結体２３１とで構成されている。第一連結体２３０は、被連結物に取り付けられる取付座２３０ａから延出する支持杆２３０ｂの先端に、該支持杆２３０ｂの外径よりも大きな球状部２３０ｃが形成されている。第二連結体２３１は、被連結物に取り付けられる取付座２３１ａに前記球状部２３０ｃが嵌合される球状凹部２３１ｂの形成された嵌合部２３１ｃが延設されている。前記球状凹部２３１ｂは、球状部２３０ｃの外径に対応する内径に設定されており、球面状をなす内周面に球状部２３０ｃの外周面が摺接し、嵌合部２３１ｃが球状部２３０ｃの中心周りで回転でき、且つ抜け止めされるようになっている。
【００６３】
上記構成の球面軸受２３は、前記球状部２３０ｃの中心が収容部２１の下面を基準にして所定の高さＨｃ（図５参照）に位置し、且つ感光材料Ｐの引き出し（搬送）中心に対応した位置となるように、第一連結体２３０が収容部本体２１３の装着部前壁板２１３ａの外面に取り付けられ、第二連結体２３１が装着部２０の装着部後壁板２０２ａの外面に取り付けられている。なお、本実施形態において、装着部２０を上下方向、及び左右方向に略均等に傾動させるべく、球状部２３０ｃと収容部２１の下面との距離（高さ）Ｈｃは、球状部２３０ｃの中心が装着部２０の上下方向の略中央部に対応した位置となるように設定されている。このように球面軸受２３を介して収容部２１と装着部２０とを連結することで、球面軸受２３の存在によって、装着部２０と収容部２１との間に所定の間隙を形成することができ、且つ球状部２３０ｃの中心を傾動中心にして装着部２０を傾動させることができる。
【００６４】
また、収容部２１に収容した感光材料Ｐは、装着部後壁板２０２ａの開口２０３、及び収容部前壁板２１３ａの挿通用開口２１６を介して供給口２００に導くように構成されているので、本実施形態に係る供給マガジン２は、図５に示す如く、装着部２０と収容部２１との間の間隙に弾性を有する遮光材２４が介装されている。即ち、装着部２０の傾動を阻害することなく、且つ収容部２１と装着部２０との間に光が入り込むのを防止すべく、弾性変形可能な遮光材２４（例えば、ゴムやスポンジ等）が装着部後壁板２０２ａの開口２０３、及び収容部２１の挿通用開口２１６を包囲するように介装されている。なお、本実施形態において、遮光材２４は、収容部２１の収容部前壁板２１３ａの外周縁部と装着部２０の装着部後壁板２０２ａの外周縁部との間に介装されている。
【００６５】
前記ホルダーユニット２１１は、ロール体Ｒの筒状の芯体に挿通する軸体２１１ａを備え、該軸体２１１ａの両端部に前記ホルダー取付体２１３ｄに掛止させる被掛止部２１１ｂが枢着されている。これにより、被掛止部２１１ｂを収容部２１のホルダー取付体２１３ｄに掛止させた状態でロール体Ｒが軸体２１１ａの軸芯周りで回転できるようになっている。
【００６６】
図２に戻り、前記回収マガジン３は、供給マガジン２よりも小さな箱状に形成されており、上面（蓋体２１４）に手押し用のハンドルが設けられると共に、底面の四隅に走行輪３６が設けられて自走可能になっている。該回収マガジン３は、供給マガジン２の収容部２１と同様に、収容部本体３７と蓋体３８とで構成され、開閉可能に構成されている。また、該回収マガジン３は、走行（手押し）方向における先頭側の壁板（以下、回収側前壁板といい、図面において採番しない。）に、スリット状の回収口３１が形成されており、該回収側前壁板は、外面における回収口３１を含む領域に、回収マガジン連結部１５の回収側遮光体１５７が嵌合する回収側嵌合凹部３０が形成されており、該回収側嵌合凹部３０に回収側遮光体１５７が嵌合した状態で、前記送出口１５６と回収口３１とが連通するように設定されている。
【００６７】
該回収マガジン３は、回収口３１から送り込まれてきた感光材料Ｐを巻き取るための巻取ユニット３３を備えている。該巻取ユニット３３は、感光材料Ｐが巻き付けられる軸体３４（芯体）を備えており、該芯体３４は、複数のギアの配列によって構成された駆動伝達機構（図示しない）に作動的に連結されており、該駆動伝達機構の作動によって軸心周りで回転するようになっており、該駆動伝達機構は、回収マガジン連結部１５の出力用ギアＧ４に噛合させる入力用ギアＧ３を備えている。入力用ギアＧ３は、回収側前壁板に形成された開口を介して外部に一部（歯）を突出させており、回収マガジン連結部１５に連結した状態で、回収マガジン連結部１５の出力用ギアＧ４と係合し、回収側駆動伝達機構から駆動を受けるようになっている。
【００６８】
また、該回収マガジン３は、走行方向（回収マガジン連結部１５への装着方向）における先頭部の下面に、装填時に回収マガジン連結部１５の回収側第二案内体１５９（案内面１６３上）に摺接する被ガイド部３５が一端に向けて昇り勾配になった傾斜面で形成されると共に、該被ガイド部３５に対して他端側で隣接し、回収マガジン連結部１５への装着方向と直交する方向に延びる前記係合用溝３２が形成されている。これにより、装置本体１の回収マガジン連結部１５に当該回収マガジン３を装着するに際し、被ガイド部３５が回収マガジン連結部１５の案内面１６３上を摺動し、回収マガジン連結部１５の回収側下壁部１５５上に乗り上げた後に、保持手段（棒体）１４７が係合用溝３２に嵌り込んで回収マガジン３が所定位置で保持されるようになっている。なお、該回収マガジン３は、別途用意された現像処理装置にも装着できるように構成されており、回収された感光材料Ｐを取り出すことなく、現像処理装置に送り出せるようになっている。
【００６９】
本実施形態に係る露光処理装置は、以上の構成からなり、以下に該露光処理装置の使用形態について説明する。
【００７０】
まず、最初に、空の回収マガジン３を上述の如く回収マガジン連結部１５に連結（装着）し、収容部２１内にロール体Ｒを収容した供給マガジン２を供給マガジン連結部に連結（装着）する。この際、供給マガジン２の装着部２０の上面（上方被案内面２０４ａ）が第一ローラ１７０，１７０…に案内され、装着部２０の両側面（側方被案内面２０４ｂ）が供給マガジン連結部１４の第二ローラ１７１，１７１…に案内されることになり、装着部２０は所定の装着位置に導かれ、装着部２０の上面に形成された装着部嵌合凹部２０１に供給側遮光体１４６が嵌合し、供給口２００と受入口１４５とが遮光状態で連通することになる。この状態において、第一ローラ１７０，１７０…が、装着部２０の上面に形成された凹部２０５ａに嵌合すると共に、第二ローラ１７１，１７１…は、側方被案内面２０４ｂに形成された凹部２０５ｂに嵌合し、装着部２０が仮止め的に位置決めされる。そして、保持手段１４７のハンドルＨを操作すると、カムフォロア１４８が被係合凸部２０６と係合し、装着部２０が適正な姿勢で且つ適正な位置で保持され、装置本体１に連結されることになる。
【００７１】
そして、装置本体１が設置された設置面に対し、周辺の床面が傾斜している場合には、供給マガジン２は、床面に沿って傾斜した状態で走行し、装着部２０も傾斜した状態で供給マガジン連結部１４に入り込もうとするが、上述の如く、装着部２０の上方被案内面２０４ａが第一ローラ１７０，１７０によって付勢（案内）されると共に、側方被案内面２０４ｂが第二ローラ１７１，１７１…によって付勢（案内）されるので、球面軸受２３の回転中心を傾動中心（傾動支点）にして装着部２０が傾動し、適正な姿勢に修正されることになる。即ち、四つの第一ローラ１７０，１７０…で装着部２０の上面を付勢すると、該装着部２０の上面が四点で押圧され、装着部２０が球面軸受２３の回転中心を傾動中心として傾動し、上面（上方被案内面２０４ａ）が水平状態となり、装填方向（供給マガジン２の押し込み方向）における前後方向の姿勢が修正されることになる。そして、装着部２０の上部及び下部（側方被案内面２０４ｂ）が第二ローラ１７１，１７１…によって付勢されるので、この上部及び下部における付勢で、装着部２０が球面軸受２３の回転中心を傾動中心（傾動支点）として傾動し、装填方向に対して直交方向の姿勢が修正されることになる。
【００７２】
即ち、装着部２０を供給マガジン連結部１４に連結する方向（走行方向）で床面が傾斜している場合において、図７（イ）に示す如く、装着部２０は、適正な姿勢になる一方で、収容部２１は傾斜面に沿って傾斜した態様となり、装着部２０と収容部２１との対向面は、装置本体１の設置面と周辺の床面との角度θ１に対応した角度θ２をなすことになる。また、装着部２０を供給マガジン連結部１４に装填方向（走行方向）と直交する方向で床面が傾斜している場合において、図７（ロ）に示す如く、装着部２０は、適正な姿勢になる一方で、収容部２１は傾斜面に沿って傾斜した態様となり、装着部２０と収容部２１との対向面は、装置本体１の設置面と周辺の床面との角度θ３に対応した角度θ４をなすことになる。これにより、装着部２０が装置本体１に対して適性な状態で連結され、供給口２００及び受入口１４５とが適正な状態で連通することになり、収容部２１に収容したペーパーＰ（ロール体Ｒから引き出したペーパーＰ）を円滑に装置本体１に供給する（送り出す）ことができる。なお、装着部２０と収容部２１とが上述の如く角度θ２，θ４を有しても、装着部２０と収容部２１との間には、弾性変形可能な遮光材２４が介装されているので、装着部２０の傾きに追従するように弾性変形しており、この間の遮光状態は保たれている。
【００７３】
そして、この状態でロック機構１４７ａを介して装着部２０を装置本体１（供給マガジン連結部１４）に保持させても、装着部２０が適正な姿勢に修正されているので、供給マガジン２（装着部２０等）や保持手段１４７（ロック機構１４７ａ）等に無理な力が作用せず、これらの破損が防止されることになる。
【００７４】
なお、回収マガジン３は、上述の如く、空の状態で装着されるので、装着時において無理な力等が作用することがなく、容易に適正な姿勢で装着することができる。また、回収マガジン３は、供給マガジン２とは違って小型であるので、感光材料Ｐを回収した後であっても比較的軽量であるので、本実施形態においては、供給マガジン２と同一構成にしていない。
【００７５】
このように供給マガジン２及び回収マガジン３を装置本体１に装着した後は、供給マガジン２（供給口２００）から感光材料Ｐが連続的に供給され（送り出され）、該感光材料Ｐは、受入口１４５を介して搬送機構１０で搬送されることになる。そして、露光処理領域に到達した感光材料Ｐは走査露光されつつ下流側に搬送され、送出口１５６、回収口３１を介して回収マガジン３に順次巻き取られる。
【００７６】
以上のように、本実施形態に係る露光処理装置は、感光材料Ｐを供給する供給マガジン２が、装着部２０と収容部２１とで構成され、前記装着部２０が所定の一点を傾動中心にして傾動するように収容部２１に連結されているので、装置本体１の案内手段１７（供給側第一案内体１７０、及び供給側第二案内体１７１）で案内されることで、該装着部２０を適正な姿勢に修正することができ、その結果、床面の状況に左右されずに、感光材料Ｐを安定して装置本体１に供給することができる。
【００７７】
また、装着部２０の傾動中心を、感光材料Ｐに対して供給中心（引き出し中心）上で直交する仮想線上の一点に設定するようにしたので、供給される（引き出される）感光材料Ｐに対して装着部２０が偏った態様で傾動することが防止され、感光材料Ｐの供給を更に安定して行うことができる。
【００７８】
さらに、装着部２０と収容部２１とを球面軸受２３を介して連結するようにしたので、装着部２０の姿勢を修正する際し、大きな力を必要とせず、装着部２０をスムーズに傾動させて適正な姿勢にすることができる。
【００７９】
また、球面軸受２３に球面滑り軸受を採用したので、回転精度が高かい上に、汎用性が高く低コストで上記構成にすることができる。
【００８０】
尚、本発明のマガジンは、上記実施形態に限定されるものではなく、本発明の要旨を逸脱しない範囲内において種々変更を加え得ることは勿論である。
【００８１】
上記実施形態において、露光処理装置の一構成としての供給マガジン２を一例にして説明したが、本発明に係るマガジンは、露光処理装置に採用されるものに限定されるものではなく、例えば、ペーパーに画像を印刷する印刷装置等に採用することもできる。即ち、本発明に係るマガジンは、大径のロール体ＲからペーパーＰを引き出し、該ペーパーＰに画像を形成する処理（画像形成処理）を行う装置に適宜採用することができる。
【００８２】
上記実施形態において、装着部２０の傾動中心が感光材料Ｐの引き出し中心上で感光材料Ｐと直交する仮想線上に位置するように設定したが、これに限定されるものではなく、例えば、装着部２０の傾動中心が感光材料Ｐの引き出し中心からずれた位置に設定するようにしてもよい。但し、感光材料Ｐの供給安定性を高めるには、装着部２０の傾動中心を感光材料Ｐの引き出し（供給）中心上で、且つ装着部２０の上下方向における略中央に設け、装着部２０を横方向、上下方向に対称的に傾動させることが好ましい。
【００８３】
上記実施形態において、装着部２０と収容部２１とを球面軸受２３を介して連結し、該球面軸受２３の球状部２３０ｃを備えた第一連結体２３０を収容部２１に取り付け、球状部２３０ｃが嵌合される嵌合部２３１ｃを備えた第二連結体２３１を装着部２０に取り付けるようにしたが、これに限定されるものではなく、例えば、前記第一連結体２３０を装着部２０に取り付け、第二連結体２３１を収容部２１に取り付けるようにしても勿論よい。
【００８４】
また、上記実施形態において、球状部２３０ｃの外周面と球状凹部２３１ｂの内周面が直接摺接する球面滑り軸受２３を採用したが、これに限定されるものではなく、例えば、第一連結体２３０の球状部２３０ｃ外周面と、第二連結部の球状凹部２３１ｂの内周面との間に、内周面が前記球状部２３０ｃの外周面に摺接する球面をなし、外周面が嵌合部２３１ｃの球状凹部２３１ｂの内周面に摺接する球面をなしたリング体や、潤滑剤を含浸させた材料で前述の如きリング状に形成したもの、或いは、リング体の内周面及び外周面に複数のボール等の転動体を回転可能に埋め込んだものなどを介装した球面軸受２３であっても勿論よい。
【００８５】
また、上記実施形態において、球面軸受２３を介して装着部２０と収容部２１とを連結するようにしたが、これに限定されるものではなく、例えば、ユニバーサルジョイントやジャイロ機構を備えた連結手段によって、装着部２０及び収容部２１を連結するようにしてもよい。このようにしても、装着部２０を所定の一点を傾動支点（傾動中心）として傾動させることができ、上記実施形態と同様に、装着部２０を適正な姿勢に修正することができる。
【００８６】
上記実施形態において、供給マガジン２の装着部２０と収容部２１とを別体の球面軸受２３を介して連結するようにしたが、これに限定されるものではなく、例えば、収容部２１の収容部前壁板２１３ａ、又は装着部２０の装着部後壁板２０２ａの何れか一方に、先端部に球状部２３０ｃを備えた支持杆２３０ｂを一体的に延設し、他方に前記球状部２３０ｃを嵌合する球状凹部２３１ｂを形成した嵌合部２３１ｃを一体的に連設するようにしてもよい。即ち、連結手段２３は、収容部２０及び装着部２１に別体で構成したものに限定されるものではなく、収容部２０と装着部２１とに一体的に形成されたものであってもよい。
【００８７】
上記実施形態において、第一ローラ１７０を供給側遮光体１４６の両側に設け、供給側遮光体１４６とは別個独立して変位可能に構成しているが、例えば、第一ローラ１７０を供給側遮光体１４６の両端部に取り付け、該供給側遮光体１４６と共に上下方向に変位可能に構成してもよい。このようにしても、供給側遮光体１４６の付勢によって、装着部２０の姿勢を修正することができる。
【図面の簡単な説明】
【００８８】
【図１】本発明の一実施形態に係る露光処理装置の全体図を示す。
【図２】同実施形態に係る露光処理装置全体における内部構成の概略図を示す。
【図３】同実施形態に係る装置本体の部分概略断面図であって、（イ）は、図２におけるＩ−Ｉ断面図を示し、（ロ）は、図２におけるＩＩ−ＩＩ断面図を示す。
【図４】同実施形態に係る供給マガジンの全体斜視図を示す。
【図５】同実施形態に係る供給マガジンの縦断面図を示す。
【図６】同実施形態に係る供給マガジンの要部拡大断面図であって、装着部と収容部とを連結する球面軸受の断面図を示す。
【図７】同実施形態に係る供給マガジンを傾斜した床面上で走行させ、該供給マガジンを装置本体に連結した状態図であって、（イ）は、正面断面図を示し、（ロ）は、側面断面図を示す。
【図８】従来の供給マガジンを装置本体に連結した状態における構成図であって、（イ）は、正面断面図を示し、（ロ）は、側面断面図を示す。
【図９】従来の供給マガジンを傾斜面上で装置本体に連結した状態における構成図であって、（イ）は、正面断面図を示し、（ロ）は、側面断面図を示す。
【符号の説明】
【００８９】
１…装置本体、２…供給マガジン（マガジン）、３…回収マガジン、１０…搬送機構、１１…露光ユニット、１２…切断装置、１２ａ，１２ｂ…カッター、１３…筐体、１４…供給マガジン連結部、１５…回収マガジン連結部、１６，１６…搬送ローラ対、１７…案内手段、２０…装着部、２１…収容部、２３…球面滑り軸受（球面軸受：連結手段）、２４…遮光材、３０…回収側嵌合凹部、３１…回収口、３２…係合用溝、３３…巻取ユニット３３、３４…芯体（軸体）、３５…被ガイド部、３６…走行輪、３７…収容部本体、３８…蓋体、１４０…供給側装填口（開口）、１４１…供給側装填空間、１４２…供給側側壁部（壁部）、１４３…供給側奥壁部（壁部）、１４４…供給側上壁部（壁部）、１４５…受入口、１４６…供給側遮光体、１４７…保持手段、１４７ａ…ロック機構、１４７ｂ…操作手段、１４８…カムフォロア（係合体）、１４９…アーム、１５０…回収側装填口、１５１…回収側装填空間、１５２…回収側側壁部、１５３…回収側奥壁部、１５４…回収側上壁部、１５５…回収側下壁部、１５６…送出口、１５７…回収側遮光体、１５８…回収側案内ローラ（回収側第一案内体）、１５９…回収側第二案内体、１６０…棒体（保持手段）、１６１…バネ（付勢手段）、１６２…ブロック体、１６３…案内面、１７０…第一ローラ（供給側第一案内体）、１７１…第二ローラ（供給側第二案内体）、１７２…バネ（付勢手段）、１７３…ブロック体、２００…供給口、２０１…装着部嵌合凹部、２０２ａ…装着部後壁板（壁板）、２０２ｂ…装着部前壁板（壁板）、２０２ｃ装着部側壁板（壁板）、２０３…開口、２０４ａ…上方被案内面（被案内部）、２０４ｂ…側方被案内面（被案内部）、２０５ｂ，２０５ａ…凹部、２０６…被係合凸部、２０７ａ，２０７ｂ…送出ローラ対、２０８…テンション付加手段、２０８ａ，２０８ｂ…ローラ、２０８ｃ…アーム、２１０…ケース、２１１…ホルダーユニット、２１１ａ…軸体、２１１ｂ…被掛止部、２１２…フレーム、２１３…収容部本体、２１３ａ…収容部前壁板（壁板）、２１３ｂ…収容部側壁板（壁板）、２１３ｃ…収容部後壁板（壁板）、２１３ｄ…ホルダー取付体、２１４…蓋体、２１５…走行輪、２１６…挿通用開口、２１７…フリーローラ、２３０…第一連結体、２３０ａ…取付座、２３０ｂ…支持杆、２３０ｃ…球状部、２３１…第二連結体、２３１ａ…取付座、２３１ｂ…球状凹部、２３１ｃ…嵌合部、Ｇ１…入力用ギア、Ｇ２…出力用ギア、Ｇ３…入力用ギア、Ｇ４…出力用ギア、Ｈ…ハンドル、Ｐ…感光材料（ペーパー）、Ｒ…ロール体
【図１】
2006011105.tif 000003
【図２】
2006011105.tif 000004
【図３】
2006011105.tif 000005
【図４】
2006011105.tif 000006
【図５】
2006011105.tif 000007
【図６】
2006011105.tif 000008
【図７】
2006011105.tif 000009
【図８】
2006011105.tif 000010
【図９】
2006011105.tif 000011